(57)【要約】【課題】１組の光学センサによって、シート載置部におけるシート残量の検出及びシート幅を検出可能な手段を提供する。【解決手段】給紙トレイ２０に載置されたシートの厚みに応じて、第１方向１２１へ移動する給紙手段に発光素子６７が設けられ、この発光素子６７から第１窓５２Ａを通じてキャリッジ３８側へ透過する光が、キャリッジ３８に搭載された受光素子６８に受光され、その第２位置Ｐ２が位置検出手段によって検出される。この第２位置Ｐ２に基づいて、給紙トレイ２０におけるシート残量Ｎが検出される。加えて、発光素子６７から照射されて第２窓５２Ｂを透過する光が、キャリッジ３８に搭載された受光素子６８に受光され、その第４位置Ｐ４が位置検出手段によって検出される。この第４位置Ｐ４と前述された第３位置Ｐ３とに基づいて、シートの端部の位置が判定される。【選択図】図２
2010235233.tif 000002
【特許請求の範囲】
【請求項１】
複数枚のシートが積層されて載置される載置面を有するシート載置部と、
上記シート載置部の載置面に対して接離する第１方向へ移動可能であり、当該シート載置部に載置されたシートのうち最上位置のシートに接触して当該シートを給送する給送手段と、
上記載置部から給送されたシートを支持する支持面を有するプラテンと、
上記プラテンへシートを搬送する搬送手段と、
第１方向に対して上記プラテンを介在させて上記給送手段と反対側に配置されており、上記プラテンにおいてシートが搬送される第２方向と交差する方向であって上記プラテンの支持面に沿った第３方向へ移動するキャリッジと、
上記キャリッジに搭載されて上記プラテン上のシートに画像記録を行う記録ヘッドと、
上記キャリッジの第３方向に対する位置を検出して当該位置を示す位置情報を出力する位置検出手段と、
上記給送手段の移動に連動して第１方向へ移動され、上記プラテンへ向かって光を照射する発光部と、
上記キャリッジに搭載されており、上記発光部が照射する光の受光量に応じた信号を出力する受光部と、
上記発光部を含む第１方向に沿った仮想直線と上記プラテンの支持面とが交差する第１位置以外に配置されて、当該プラテンに対して第１方向へ貫かれており、当該プラテンより高い透光率を有する第１窓と、
上記発光部を発光させた状態において上記キャリッジを移動させ、上記第１窓を透過した当該発光部の光を上記受光部が受光したときにおける上記キャリッジの第３方向の第２位置に基づいて、当該発光部の第１方向における第３位置を演算し、当該第３位置に基づいて上記シート載置部に載置されたシートの量を判定する第１演算手段と、を具備する画像記録装置。
【請求項２】
上記第１位置以外であって上記シート載置部から給送されるシートの第３方向に沿った端が通過し得る範囲を含んで配置されて、当該プラテンに対して第１方向へ貫かれており、当該プラテンより高い透光率を有する第２窓と、
上記プラテンの支持面にシートが支持されて上記第２窓上に当該シートがあるときに、上記発光部を発光させた状態において上記キャリッジを移動させ、上記第２窓を透過した当該発光部の光を上記受光部が受光したときにおける上記キャリッジの第３方向の第４位置及び上記第３位置に基づいて、当該シートの第３方向に沿った端の位置を判定する第２演算手段と、を更に具備する請求項１に記載の画像記録装置。
【請求項３】
上記第１演算手段は、上記仮想直線と上記第２位置との上記第３方向に沿った第１距離、上記第１位置と上記第１窓の中心との上記第３方向に沿った第２距離、上記シート載置部の載置面と上記プラテンの支持面との上記第１方向に沿った第３距離及び上記プラテンの支持面と上記キャリッジの受光部との上記第１方向に沿った第４距離に基づいて、上記第３位置を演算するものである請求項１又は請求項２に記載の画像記録装置。
【請求項４】
上記第２演算手段は、上記仮想直線と上記第４位置との上記第３方向に沿った第５距離、上記第３位置と上記プラテンの支持面との上記第１方向に沿った第６距離、及び上記第４距離と、上記第１位置と、に基づいて、シートの第３方向に沿った端の位置を演算するものである請求項２に記載の画像記録装置。
【発明の詳細な説明】
【技術分野】
【０００１】
本発明は、１組の光学センサを使用して、シート載置部におけるシート残量が検出可能な画像記録装置に関する。また、本発明は、１組の光学センサを使用して、プラテン上のシートの端部位置が検出可能な画像記録装置に関する。
【背景技術】
【０００２】
従来の画像記録装置において、記録媒体の残量の検出や、記録媒体の端部位置が検出可能なものが知られている。
【０００３】
記録媒体の残量の検出方法として、画像記録装置の記録媒体の供給部に設けられたアームの角度が検出される方法が開示されている（例えば、特許文献１、特許文献２）。例えば、特許文献２においては、以下の手順で記録媒体の残量が検出される。まず、記録媒体を搬送するピックアップローラの初期位置が、遮光フラグが初期位置センサを遮ることによって検出される。次に、ピックアップローラを支持するアームとともに回転する軸の回転角度の変化量が、ロータリーエンコーダによって検出される。検出されたアームの回転角度の変化量と、搬送された記録媒体の枚数とに基づいて、記録媒体一枚あたりのアームの回転角度の単位変化量が演算され、その単位変化量に基づいて、記録媒体の残量が演算される。
【０００４】
特許文献３には、光学センサが用いられる記録媒体の残量検出方法が開示されている。特許文献３に開示された画像記録装置は、赤外光及び紫外光を照射する発光部と、記録媒体の種類の検出及び記録媒体の有無の検出を行うための検出器とが設けられている。この検出器は、記録媒体積載部に対向する位置に設けられている。記録媒体積載部の底面には、反射基準部材が設けられている。発光部から照射されて記録媒体によって反射される反射光は、記録媒体の種類によって反射特性が異なるので、この反射光に基づいて記録媒体の種類が特定される。また、記録媒体積載部に記録媒体が存在しない場合には、反射基準部材からの反射光が受光されるので、この部材の反射特性によって載置部に記録媒体が存在しないと判定される。
【０００５】
特許文献４には、光学センサが用いられる記録媒体の端部位置の検出方法が開示されている。特許文献４に開示されたラインプリンタは、反射光によるサイズ検出が困難な記録媒体に対しても、確実にそのサイズを検出し得る。このラインプリンタでは、記録ヘッドが搭載されているキャリッジユニットに透過型光学センサが設けられ、ホームポジションとされる位置に検出プレートが設けられる。また、記録部に搬送された記録媒体を押さえるための記録媒体押さえに、サイズ検出プレートが設けられる。キャリッジユニットが検出プレート上に移動したとき、光学センサから射出される光がプレートによって遮断されることで、ホームポジションが認識される。また、記録媒体押さえに設けられたサイズ検出プレートが、同様にして、キャリッジユニットの設けられた光学センサにより認識される。そして、２つの検出プレート間の距離が、記録媒体のサイズとして算出される。
【０００６】
特許文献５には、光センサが用いられて記録媒体の幅及び厚みを検出する方法が開示されている。特許文献５に開示された画像記録装置は、多目的センサを有する。この多目的センサは、記録ヘッドとともにキャリッジに搭載されており、１つの赤外フォトダイオード（以下、「赤外ＬＥＤ」と称される。）及び２つのフォトトランジスタを有する。赤外ＬＥＤは、測定面（プラテンの表面又は記録用紙の表面）に対して４５°の角度で光を照射するように配置された発光素子である。２つのフォトトランジスタは、受光軸が赤外ＬＥＤの反射光の中心軸と平行になるように配置された受光素子である。２つのフォトトランジスタは、赤外ＬＥＤに対して光軸がずらされて配置されている。このため、多目的センサから測定面までの距離に応じて、２つのフォトトランジスタから出力されている出力電圧が大きく変化する。この記録装置では、フォトトランジスタの出力電圧が得られると、これら２つの出力電圧に基づいて、距離係数が求められる。記録装置には、演算によって得られた距離係数と、多目的センサから測定面までの距離とを対応付けたテーブルが設けられている。このため、前述のように求められた距離係数と上記テーブルとに基づいて、多目的センサから記録用紙までの距離、及び多目的センサからプラテンまでの距離が求められ、これらから記録用紙の厚さが求められる。
【先行技術文献】
【特許文献】
【０００７】
【特許文献１】特開昭６０−１９７５４０号公報
【特許文献２】特開２０００−２８１２４２号公報
【特許文献３】特開２００６−２２５０５８号公報
【特許文献４】特開平１１−１３８９２４号公報
【特許文献５】特開２００７−９１４６７号公報
【発明の概要】
【発明が解決しようとする課題】
【０００８】
前述されたように、画像記録装置においては、シート載置部に載置されたシートの残量やプラテン上のシートの端部位置が検出されることが望まれている。例えば、特許文献１〜４に開示されているように、シートの残量検出のための光学センサと、シートの端部検出のための光学センサとが、画像記録装置にそれぞれ設けられることによって、両者の検出が実現される。しかし、光学センサの数が増えると、部品コスト点数や組立コストの煩雑性が増大するという問題が生じる。
【０００９】
特許文献５では、１つの赤外ＬＥＤと２つのフォトトランジスタとによって記録媒体の幅と厚みが計算される。しかし、この２種類の検出は、プラテン上にあるシートに対して実現されるものであって、シート載置部上のシートとプラテン上のシートのように、異なる位置に配置された部材上の各シートが検出されるものではない。
【００１０】
本発明は、前述された事情に鑑みてなされたものであり、その目的は、１組の光学センサによって、シート載置部におけるシート残量の検出が可能な手段を提供することにある。また、本発明の目的は、１組の光学センサによって、プラテン上のシートの端部位置の検出が可能な手段を提供することにある。
【課題を解決するための手段】
【００１１】
（１）  本発明に係る画像記録装置は、複数枚のシートが積層されて載置される載置面を有するシート載置部と、上記シート載置部の載置面に対して接離する第１方向へ移動可能であり、当該シート載置部に載置されたシートのうち最上位置のシートに接触して当該シートを給送する給送手段と、上記載置部から給送されたシートを支持する支持面を有するプラテンと、上記プラテンへシートを搬送する搬送手段と、第１方向に対して上記プラテンを介在させて上記給送手段と反対側に配置されており、上記プラテンにおいてシートが搬送される第２方向と交差する方向であって上記プラテンの支持面に沿った第３方向へ移動するキャリッジと、上記キャリッジに搭載されて上記プラテン上のシートに画像記録を行う記録ヘッドと、上記キャリッジの第３方向に対する位置を検出して当該位置を示す位置情報を出力する位置検出手段と、上記給送手段の移動に連動して第１方向へ移動され、上記プラテンへ向かって光を照射する発光部と、上記発光部を含む第１方向に沿った仮想直線と上記プラテンの支持面とが交差する第１位置以外に配置されて、当該プラテンに対して第１方向へ貫かれており、当該プラテンより高い透光率を有する第１窓と、上記発光部を発光させた状態において上記キャリッジを移動させ、上記第１窓を透過した当該発光部の光を上記受光部が受光したときにおける上記キャリッジの第３方向の第２位置に基づいて、当該発光部の第１方向における第３位置を演算し、当該第３位置に基づいて上記シート載置部に載置されたシートの量を判定する第１演算手段と、を具備する。
【００１２】
本発明の給送手段は、シート載置部に載置された複数枚のシートの厚みに応じて第１方向へ移動する。この給送手段の移動に伴って、発光部も第１方向へ移動する。発光部が第１方向へ移動すると、発光部から第１窓を通じてキャリッジ側へ透過する光を受けるキャリッジの位置の第３方向の位置（第２位置）が変化する。キャリッジが第３方向へ移動されつつ、受光部が第１窓を透過する光を受光した位置が検出されることによって、第２位置が検出される。この第２位置に基づいて、発光部の第１方向に対する第３位置が演算される。
【００１３】
なお、本明細書において、別段の定めがない限り、「方向」とは、例えば＋、−のように相対する向きを有する直線で表されるものであり、「向き」とは、方向のうち例えば＋または−のように一個のアローヘッドを有する矢印で表されるものである。
【００１４】
（２）  本発明に係る画像記録装置は、上記第１位置以外であって上記シート載置部から給送されるシートの第３方向に沿った端が通過し得る範囲を含んで配置されて、当該プラテンに対して第１方向へ貫かれており、当該プラテンより高い透光率を有する第２窓と、上記プラテンの支持面にシートが支持されているときに、上記発光部を発光させた状態において上記キャリッジを移動させ、上記第２窓を透過した当該発光部の光を上記受光部が受光したときにおける上記キャリッジの第３方向の第４位置及び上記第３位置に基づいて、当該シートの第３方向に沿った端の位置を判定する第２演算手段と、を更に具備するものであってもよい。
【００１５】
シートはプラテンに支持されつつ第２方向へ搬送される。このシートの端は、第２窓上を通過する。発光部から照射されて第２窓を透過する光は、シートによって遮光される。したがって、シートの端部の位置が変化すると、発光部から第２窓を通じてキャリッジ側へと透過する光を受けるキャリッジの位置の第３方向の位置（第４位置）が変化する。キャリッジが第３方向へ移動されつつ、受光部が第２窓を透過する光を受光した位置が検出されることによって、第４位置が検出される。この第４位置と前述された第３位置とに基づいて、シートの端の位置が判定される。
【００１６】
（３）  上記第１演算手段として、上記仮想直線と上記第２位置との上記第３方向に沿った第１距離、上記第１位置と上記第１窓の中心との上記第３方向に沿った第２距離、上記シート載置部の載置面と上記プラテンの支持面との上記第１方向に沿った第３距離及び上記プラテンの支持面と上記キャリッジの受光部との上記第１方向に沿った第４距離に基づいて、上記第３位置を演算するものが挙げられる。
【００１７】
（４）  上記第２演算手段として、上記仮想直線と上記第４位置との上記第３方向に沿った第５距離、上記第３位置と上記プラテンの支持面との上記第１方向に沿った第６距離及び上記第４距離に基づいて、シートの第３方向に沿った端の位置を演算するものが挙げられる。
【発明の効果】
【００１８】
本発明によれば、シート載置部に載置された複数枚のシートの厚みに応じて第１方向へ移動する給送手段に発光部が設けられ、この発光部から第１窓を通じてキャリッジ側へ透過する光が、キャリッジに搭載された受光部に受光され、その第２位置が位置検出手段によって検出される。そして、この第２位置に基づいて、発光部の第１方向に対する第３位置が演算されるので、１組の光学センサによって、シート載置部におけるシート残量が検出される。
【００１９】
また、本発明によれば、発光部から照射されて第２窓を透過する光が、キャリッジに搭載された受光部に受光され、その第４位置が位置検出手段によって検出される。そして、この第４位置と前述された第３位置とに基づいて、シートの端の位置が判定されるので、１組の光学センサによって、プラテン上のシートの端部の位置が検出される。
【図面の簡単な説明】
【００２０】
【図１】図１は、本発明に係る画像記録装置の一実施形態に係る複合機１０の外観斜視図である。
【図２】図２は、本実施形態におけるプリンタ部１１の内部構造を示す模式図である。
【図３】図３は、プリンタ部１１の主要構成を示す平面図である。
【図４】図４は、記録部２４の平面図である。
【図５】図５は、制御部１００の構成例を示すブロック図である。
【図６】図６は、図２のVI−VI切断線の断面構造を模式的に表す模式図である。
【図７】図７は、図２のVI−VI切断線の断面構造を模式的に表す模式図である。
【図８】図８は、図６における点Ｏ、Ａ、Ｂ、Ｃ、Ｄの関係を示す図である。
【図９】図９は、図２のVI−VI切断線の断面構造を模式的に表す模式図である。
【図１０】図１０は、図９における点Ｏ、Ａ、Ｂ、Ｅ、Ｆの関係を示す図である。
【図１１】図１１は、キャリッジ３８の移動に伴う受光量の変化量を図示したものである。
【図１２】図１２は、プリンタ部１１の印刷動作を示すフローチャートである。
【図１３】図１３は、シート残量の判定動作を示すフローチャートである。
【図１４】図１４は、シート端部の判定動作を示すフローチャートである。
【発明を実施するための形態】
【００２１】
以下、本発明の好ましい実施形態が、適宜図面が参照されながら説明される。なお、本実施の形態は、本発明に係る画像記録装置の一態様にすぎず、本発明の要旨を変更しない範囲で実施態様が変更されてもよいことは言うまでもない。
【００２２】
［複合機１０の概略構成］
図１に示されるように、複合機１０は、高さ方向１２１（第１方向）よりも幅方向（第３方向）１２２及び奥行き方向（第２方向）１２３に長い幅広薄型の概ね直方体形状に構成されている。複合機１０は、プリンタ部１１とスキャナ部１２とを一体的に備え、プリント機能、スキャン機能、コピー機能、ファクシミリ機能等を有する。プリンタ部１１が本発明に係る画像記録装置に相当する。なお、複合機１０は、必ずしもスキャナ部１２を有している必要はなく、スキャナ機能やコピー機能を有しない単機能のプリンタとして本発明に係る画像記録装置が実施されてもよい。
【００２３】
複合機１０の下部にプリンタ部１１が設けられている。プリンタ部１１は、パーソナルコンピュータなどの外部情報機器（不図示）と通信可能に接続され得る。プリンタ部１１は、外部情報機器から受信した印刷データやスキャナ部１２で読み取られた原稿の画像データに基づいて、記録用紙５０（本発明のシートの一例、図２参照）に画像を記録する。
【００２４】
複合機１０の上部にスキャナ部１２が設けられている。スキャナ部１２は、いわゆるフラットベッドスキャナとして機能するものである。本発明には、スキャナ部１２は直接に関係しないので、ここでは詳細な説明が省略される。
【００２５】
複合機１０の正面上部に操作パネル１４が設けられている。操作パネル１４には、各種情報を表示するディスプレイや情報の入力を受け付けるボタンが設けられている。複合機１０は、操作パネル１４から入力された指示情報に基づいて動作する。なお、複合機１０が外部情報機器と接続されている場合には、複合機１０は、外部情報機器からプリンタドライバやスキャナドライバなどを通じて送信される指示情報に基づいても動作する。
【００２６】
［プリンタ部１１］
以下プリンタ部１１の構成が詳細に説明される。
【００２７】
図１に示されるように、プリンタ部１１の正面側に開口１３が形成されている。プリンタ部１１には、この開口１３を通じて給紙カセット３３が装着される。給紙カセット３３は、給紙トレイ２０及び排紙トレイ２１を備えている。給紙トレイ２０及び排紙トレイ２１は、排紙トレイ２１を給紙トレイ２０の上側として上下二段に配置されている。
【００２８】
給紙トレイ２０は、記録用紙５０を積載状態で収容可能な容器形状のものである。給紙トレイ２０には、定形サイズの記録用紙５０が収容される。記録用紙５０の種類としては、普通紙、光沢紙、インクジェット紙などが挙げられる。また、記録用紙５０の定形サイズとしては、例えばＡ４サイズ、Ｂ５サイズ、はがきサイズなどが挙げられる。
【００２９】
給紙トレイ２０の奥側（図２における右側）に傾斜板２２が設けられている。傾斜板２２は、装置背面側（図２における右側）へ倒れるように傾斜している。給紙カセット３３がプリンタ部１１に装着されると、傾斜板２２が搬送路２３（本発明の所定の搬送路の一例）の下方に配置される。搬送路２３は、傾斜板２２から上方へ向かった後、複合機１０の正面側（図２における左側）へ曲がって、排紙トレイ２１まで直線的にまっすぐ延びている。また、給紙トレイ２０は、容器形状をなしており、その底面２７に、ローラポケット６５が設けられている。このローラポケット６５は、後述される給紙ローラ２５に対応して配置されており、給紙ローラ２５の下方部分を収容可能な凹嵌形状である。給紙トレイ２０の底面２７に各種記録用紙５０が載置されると、その記録用紙５０によってローラポケット６５が覆われる。給紙トレイ２０から記録用紙５０が無くなると、底面２７にローラポケット６５が開口して、そのローラポケット６５に給紙ローラ２５の下方部分が収容される。
【００３０】
給紙トレイ２０の上側には、供給部３２が配置されている。供給部３２は、給紙ローラ２５、アーム２６及び軸２８を備えている。軸２８は、幅方向１２２（図２の紙面に垂直な方向、図１参照）を軸方向としてプリンタ部１１のフレーム（不図示）に支持されている。アーム２６は、軸２８に回動可能に設けられている。給紙ローラ２５は、このアーム２６の先端側に回転可能に支持されている。アーム２６は、自重によって或いはバネ等による弾性力を受けて給紙トレイ２０側へ回動付勢されている。このため、給紙ローラ２５が給紙トレイ２０における最上位置の記録用紙５０に適切な圧力で当接する。給紙ローラ２５には、軸２８及びアーム２６に設けられた動力伝達機構（不図示）を介してＬＦモータ８５（図５参照）から駆動伝達される。給紙ローラ２５が回転すると、給紙トレイ２０上の最上位置の記録用紙５０は、給紙ローラ２５の回転力を受けて傾斜板２２に沿って搬送路２３へ送り出される。これにより、給紙トレイ２０から搬送路２３へ記録用紙５０が供給される。
【００３１】
搬送路２３において、後述されるプラテン４２より上流側に搬送ローラ対５９が設けられている。搬送ローラ対５９は、搬送ローラ６０及びピンチローラ６１からなる。搬送ローラ６０は、ＬＦモータ８５（図５参照）から駆動伝達されて回転する。ピンチローラ６１は、搬送路２３を挟んで搬送ローラ６０の下側に回転自在に配置されており、搬送ローラ６０へ向けてバネによって付勢されている。給紙トレイ２０から搬送路２３へ供給された記録用紙５０は、搬送ローラ６０及びピンチローラ６１に挟持された状態で、搬送ローラ６０の回転力を受けて搬送向き１７（本発明の搬送向きの一例）へ搬送される。
【００３２】
搬送路２３における搬送ローラ対５９よりも搬送向き１７の下流側に、排出ローラ対６４が設けられている。排出ローラ対６４は、排紙ローラ６２及び拍車６３からなる。排紙ローラ６２は、ＬＦモータ８５（図５参照）から駆動伝達されて搬送ローラ６０と同期して回転する。拍車６３は、搬送路２３を挟んで排紙ローラ６２の上側に回転自在に配置されており、排紙ローラ６２へ向けてバネによって付勢されている。記録用紙５０は、排紙ローラ６２と拍車６３とに挟持された状態で、排紙ローラ６２の回転力を受けて搬送路２３に沿って搬送され、排紙トレイ２１（図１参照）に排出される。
【００３３】
搬送路２３おける搬送ローラ対５９よりも搬送向き１７の上流側に、レジストセンサ７１が設けられている。レジストセンサ７１は、搬送路２３に沿って搬送される記録用紙５０の有無を検出するものである。レジストセンサ７１は、記録用紙５０を検出可能であれば特に限定されるものではないが、本実施形態ではメカニカルセンサとして構成されている。レジストセンサ７１は、フォトインタラプタ及び検出子を備える。フォトインタラプタは、光を出射する発光部、及び光を受光する受光部を有する。検出子は、記録用紙５０との当接によって回動可能に軸支されている。記録用紙５０が検出子に当接していない状態では、発光部と受光部との間の光の光路が開放されている。記録用紙が検出子に当接すると、検出子によって上記光路が遮られる。このため、受光部で生成される電気信号の信号レベルが変化する。後述される制御部１００（図５参照）は、この電気信号の変化に基づいて、第５位置Ｐ５における記録用紙５０の有無を判断する。
【００３４】
［プラテン４２］
搬送ローラ対５９と排出ローラ対６４との間に、プラテン４２（本発明のプラテンの一例）が設けられている。プラテン４２は、搬送路２３の下側に設けられている。搬送路２３に沿って搬送される記録用紙５０は、記録部２４の下方を通過する際にプラテン４２によって下から支持される。プラテン４２には、第１窓５２Ａ及び第２窓５２Ｂが設けられている（図４参照）。
【００３５】
図４に示されるように、第１窓５２Ａ及び第２窓５２Ｂは、プラテン４２を高さ方向１２１にそれぞれ貫く貫通孔である。したがって、後述される光束５４（図６、図７、図９参照）は第１窓５２Ａ及び第２窓Ｂを高さ方向１２１にそれぞれ透過する。図４に示される平面視において、第２窓５２Ｂの幅方向１２２に沿った幅は、第１窓５２Ａの幅方向１２２に沿った幅よりも広い。プラテン４２における幅方向１２２の仮想中心線５８に対して、第１窓５２Ａは、図４における左側に配置されており、第２窓５２Ｂは、図４における右側に配置されている。なお、この第１窓５２Ａ及び第２窓５２Ｂの配置は相互に入れ替えられてもよい。また、第１窓５２Ａ及び第２窓５２Ｂは、記録ヘッド３９より搬送向き１７の上流側に配置されている。したがって、記録ヘッド３９から第１窓５２Ａ及び第２窓５２Ｂへ向けてインク滴５５が噴出されることはない。第２窓５２Ｂの幅及び位置は、各種サイズの記録用紙５０に対応して設定されている。プラテン４２上へ搬送される記録用紙５０は、その幅方向１２２の中心位置を、仮想中心線５８に合致させるようにして搬送向き１７へ搬送される。つまり、いわゆるセンターレジで記録用紙５０が搬送される。この記録用紙５０は、いずれのサイズであっても、その幅方向１２２の一端が第２窓５２Ｂを通過する。プラテン４２上に搬送された記録用紙５０によって、第２窓５２Ｂが完全に覆われることはない。
【００３６】
［キャリッジ３８］
図２に示されるように、プラテン４２の上側に記録部２４が配置されている。記録部２４は、幅方向１２２（図２における紙面に垂直な方向）へ移動するキャリッジ３８（本発明のキャリッジの一例）を備えている。このキャリッジ３８には、インクジェット方式の記録ヘッド３９（本発明の記録ヘッドの一例）、及び受光素子６８（本発明の受光部の一例）が搭載されている。ここで、幅方向１２２は、記録用紙５０の搬送向き１７と直交する水平な方向である。
【００３７】
図３に示されるように、搬送路２３の上側において、搬送向き１７に所定の間隔が隔てられて、一対のガイドフレーム４３，４４が設けられている。ガイドフレーム４３，４４は、幅方向１２２へ延設されている。ガイドフレーム４３は、ガイドフレーム４４よりも搬送向き１７の上流側に設けられている。キャリッジ３８は、ガイドフレーム４３，４４を跨ぐようにしてガイドフレーム４３，４４に載置されている。これにより、キャリッジ３８は、搬送路２３を挟んでプラテン４２と対向して配置されている（図２参照）。なお、図２では、ガイドフレーム４３，４４は省略されている。
【００３８】
キャリッジ３８の搬送向き１７の上流側の端部は、ガイドフレーム４３の上面に摺動自在に支持されている。キャリッジ３８の搬送向き１７の下流側の端部は、ガイドレーム４４の上面に摺動自在に支持されている。ガイドフレーム４４の端部４５は、ガイドフレーム４４が上方へ向かって略直角に曲折されたものであり、幅方向１２２へ延出されている。キャリッジ３８は、この端部４５を不図示のローラ等によって挟持している。これにより、キャリッジ３８は、端部４５を基準として幅方向１２２への移動が可能である。
【００３９】
ガイドフレーム４４の上面には、ベルト駆動機構４６が設けられている。ベルト駆動機構４６は、駆動プーリ４７、従動プーリ４８及び駆動ベルト４９を有している。駆動プーリ４７及び従動プーリ４８は、幅方向１２２の両端付近にそれぞれ設けられている。駆動ベルト４９は、内側に歯が設けられた無端環状のものであり、駆動プーリ４７と従動プーリ４８との間に架け渡されている。
【００４０】
駆動プーリ４７の軸にＣＲモータ８４（図５参照）が接続されている。駆動プーリ４７は、ＣＲモータ８４の駆動力を受けて回転する。この駆動プーリ４７の回転力によって駆動ベルト４９が周運動する。キャリッジ３８は、この駆動ベルト４９に固定されているので、駆動ベルト４９が周運動することによって幅方向１２２へ移動する。
【００４１】
ガイドレール４４には、エンコーダストリップ５１が設けられている。エンコーダストリップ５１は、縁部４５に沿ってガイドレール４４の両端に渡って架設されている。エンコーダストリップ５１は、透明な樹脂からなる帯状のものである。エンコーダストリップ５１には、遮光部と透光部とが等ピッチで交互に並んだパターンが記されている。キャリッジ３８には、このエンコーダストリップ５１のパターンを検出するためのフォトインタラプタ６９が搭載されている。
【００４２】
［記録ヘッド３９］
記録ヘッド３９は、インクジェット方式の記録ヘッドである。プリンタ部１１の内部には、インクカートリッジ４０（図３参照）が配置されている。インクカートリッジ４０は、シアン・マゼンダ・イエロー・ブラックの各インク色に応じて４種のインクカートリッジ４０が設けられている。各インクカートリッジ４０から記録ヘッド３９へ４本のインクチューブ４１を通して各色インクがそれぞれ供給される。記録ヘッド３９は、そのノズルがキャリッジ３８の底面から下方へ露出されるようにして、キャリッジ３８に搭載されている（図２参照）。キャリッジ３８が幅方向１２２へ移動される間に、記録ヘッド３９のノズルから微小なインク滴５５がプラテン４２上の記録用紙５０へ向けて選択的に噴出される。これにより、プラテン４２上の記録用紙５０に画像が記録される。
【００４３】
［光学センサ７０］
図６に示されるように、光学センサ７０は、発光素子６７と受光素子６８とによって構成されている。発光素子６７は、供給部３２に設けられている。具体的には、発光素子６７は、給紙ローラ２５を支持しているアーム２６の基端部における上側に設けられている。この発光素子６７は、フォトダイオード（以下、「ＬＥＤ」と称される。）である。発光素子６７からは、一定強度の光束５４が射出される。発光素子６７から射出された光束５４は、プラテン４２に設けられた第１窓５２Ａ又は第２窓５２Ｂを通過する。給紙トレイ２０に積載された記録用紙５０の量が変わると、最上位置の記録用紙５０の高さ方向１２１の位置が変わり、その最上位置の記録用紙５０に圧接する給紙ローラ２５及びアーム２６の高さ位置も変わる。したがって、発光素子６７は、給紙トレイ２０に積載された記録用紙５０の残量に応じて、高さ方向１２１の位置が変位する。
【００４４】
受光素子６８は、キャリッジ３８に搭載されて、プラテン４２のシート支持面５６に対向されている。受光素子６８はフォトトランジスタである。受光素子６８は発光素子６７から照射されて第１窓５２Ａ又は第２窓５２Ｂを通過した光束５４を受光して、その受光量に応じた電気信号を出力する。
【００４５】
［制御部１００］
制御部１００は、プリンタ部１１のみならず、複合機１０の全体動作を統括的に制御するものである。図５に示されるように、制御部１００は、ＣＰＵ１０１、ＲＯＭ１０２、ＲＡＭ１０３、ＥＥＰＲＯＭ１０４及びＡＳＩＣ（Ａｐｐｌｉｃａｔｉｏｎ  Ｓｐｅｃｉｆｉｃ  Ｉｎｔｅｇｒａｔｅｄ Ｃｉｒｃｕｉｔ）１０９を主とするマイクロコンピュータとして構成されている。この制御部１００が、本発明における位置検出手段、第１演算手段、第２演算手段として機能する。この制御部１００により、ＬＦモータ８５、ＣＲモータ８４、プリンタ部１１、及びスキャナ部１２が制御される。
【００４６】
ＲＯＭ１０２には、ＣＰＵ１０１がモータ８４，８５や複合機１０を制御するためのプログラムなどが記憶されている。また、ＲＯＭ１０２には、給紙トレイ２０に載置されている記録用紙５０の残量を検出し、かつ、プラテン４２上に搬送された記録用紙５０の端部を検出するためのプログラムやテーブルが格納されている。このテーブルは、記録用紙５０の残量や記録用紙５０のプラテン上での端部位置と、キャリッジ３８の位置（後述する第１距離〜第６距離）とを対応付けたものである。制御部１００は、ＲＯＭ１０２に格納されているテーブルなどに基づいて、記録用紙５０の残量やプラテン４２上における記録用紙５０の端部位置を判定する。
【００４７】
ＲＡＭ１０３は、ＣＰＵ１０１が前述された各種プログラムを実行する際に用いる各種データを一時的に記憶する記憶領域又はデータ処理などの作業領域として使用される。ＥＥＰＲＯＭ１０４には、電源オフ後も保持すべき設定やフラグ等が格納される。
【００４８】
ＡＳＩＣ１０９には、駆動回路８１、駆動回路８０、レジストセンサ７１、リニアエンコーダ８２、ロータリーエンコーダ８３及び光学センサ７０が接続されている。なお、図５には示されていないが、ＡＳＩＣ１０９には、記録ヘッド３９を制御するヘッド制御回路、スキャナ部１２、操作パネル１４なども接続されている。
【００４９】
駆動回路８１は、ＬＦモータ８５を駆動させるものである。ＬＦモータ８５には、図２に示される給紙ローラ２５、搬送ローラ６０及び排紙ローラ６２が接続されている。駆動回路８１は、ＡＳＩＣ１０９からの出力信号を受けてＬＦモータ８５を駆動させる。ＬＦモータ８５の駆動力は、ギヤや駆動軸等からなる周知の駆動伝達機構を介して、給紙ローラ２５、搬送ローラ６０及び排紙ローラ６２へ伝達される。
【００５０】
駆動回路８０は、ＡＳＩＣ１０９から入力される相励磁信号等に基づいて、ＣＲモータ８４に駆動信号を通電する。この駆動信号を受けたＣＲモータ８４が回転することにより、キャリッジ３８が幅方向１２２へ移動する。
【００５１】
リニアエンコーダ８２は、エンコーダストリップ５１を、キャリッジ３８に搭載されたフォトインタラプタ６９により検出するものである（図３参照）。制御部１００は、このリニアエンコーダ８２の検出信号に基づいて、ＣＲモータ８４の駆動を制御する。また、リニアエンコーダ８２の検出信号に基づいて、キャリッジ３８の位置が判定される。
【００５２】
ロータリーエンコーダ８３は、エンコーダディスク８７を、光学センサ８８により検出するものである（図３参照）。制御部１００は、このロータリーエンコーダ８３の検出信号に基づいて、搬送ローラ６０の回転量を判定する。また、この搬送ローラ６０の回転量から、搬送ローラ対５９を出てからの記録用紙５０の位置が判定される。
【００５３】
制御部１００は、レジストセンサ７１から出力される電気信号の変化に基づいて、搬送路２３の第５位置Ｐ５における記録用紙５０の有無を判断する（図２参照）。
【００５４】
［複合機１０の動作］
以下複合機１０の動作が説明される（図１２参照）。
【００５５】
操作パネル１４において印刷開始が入力される、或いはコンピュータ等からプリンタドライバを通じて印刷開始のコマンドが制御部１００によって受信される。印刷開始が入力されると、制御部１００は記録用紙５０の残量Ｎを判定する（Ｓ１）。この残量Ｎの判定については後述される。この判定結果をもとに、制御部１００は、記録用紙５０を搬送路２３へ搬送するか否かを決定する。（Ｓ２）。給紙トレイ２０に記録用紙５０が無かった場合（Ｓ２：ＹＥＳ）、つまり残量Ｎ＝０である場合は、制御部１００は、印刷を行うことなく動作を終了する。給紙トレイ２０に記録用紙５０がある場合は（Ｓ２：ＮＯ）、制御部１００は、ＬＦモータ８５を駆動させて、給紙トレイ２０から記録用紙５０を搬送路２３へ給送する（Ｓ３）。
【００５６】
搬送路２３へ給送された記録用紙５０は、その先端がレジストセンサ７１によって検出される。制御部１００は、レジストセンサ７１の検出信号及びロータリーエンコーダ８３の検出信号に基づいて、記録用紙５０の線単位位置を監視する。制御部１００は、記録用紙５０の先端が第２窓５２Ｂに対応する第１位置Ｐ１（図４参照）へ到達したときに、記録用紙５０の搬送を停止して、記録用紙５０の幅方向１２２に対する端の位置を判定する（Ｓ４）。この記録用紙５０の端の位置の判定は後述される。なお、第１位置Ｐ１は、第２窓５２Ｂにおける搬送向き１７の中央と、搬送向き１７に対して同じ位置となる仮想中心線５８上の位置である。
【００５７】
制御部１００は、記録用紙５０の端の位置が判定不可能であった場合、印刷を中止する（Ｓ５：ＮＯ）。制御部１００は、記録用紙５０の端の位置が判定されると（Ｓ５：ＹＥＳ）、その端の位置に基づいて、記録用紙５０に印刷行う（Ｓ６）。そして、次のページの画像情報が存在する場合には（Ｓ７：ＹＥＳ）、制御部１００は、前述と同様にして次のページの印刷を行う。次のページの画像情報が存在しない場合は（Ｓ７：ＮＯ）、制御部１００は印刷を終了する。
【００５８】
［記録用紙５０の残量Ｎの判定］
以下、記録用紙５０の残量Ｎの判定方法が詳細に説明される（図１３参照）。
【００５９】
制御部１００は、発光素子６７を発光させる（Ｓ１１）。また、制御部１００は、キャリッジ３８をホームポジション（以下、「ＨＰ」と称される。）へと移動させる（Ｓ１２）。なお、ＨＰは、キャリッジ３８が往復移動される方向のうちの一端側であり、図３における右側である。また、エンドポジション（以下、「ＥＰ」と称される。）は、ＨＰと反対側の端であり、図３における左側である。
【００６０】
続いて、制御部１００は、ＨＰへ移動されたキャリッジ３８をＥＰへ向かって移動させる（Ｓ１３）。そして、制御部１００は、第１窓５２Ａにキャリッジ３８が到達した後、キャリッジ３８に搭載された受光素子６８の出力信号を監視する。図６に示されるように、キャリッジ３８が仮想中心線５８からＥＰへ移動される過程において、受光素子６８が、プラテン４２の第１窓５２Ａを通過した光束５４を受光する。受光素子６８が光束５４を受光すると、その受光量に応じた電圧を信号として出力する。この信号Ｃが、あらかじめ設定された閾値Ｃ１を超えると（Ｓ１４：ＹＥＳ）、そのときのキャリッジ３８の位置情報を、制御部１００が記憶する。制御部１００は、キャリッジ３８がＥＰへ到達すると、発光素子６７を消灯し（Ｓ１５）、記憶された位置情報に基づいて、記録用紙５０の残量Ｎを演算する（Ｓ１６）。
【００６１】
以下、記録用紙５０の残量Ｎの演算方法が詳細に説明される。図６に示されるように、高さ方向１２１及び幅方向１２２に沿った断面において、プラテン４２の第１位置Ｐ１を含む高さ方向１２１に沿った仮想直線５３上に、発光素子６７が配置されている。発光素子６７から射出された光束５４が、第１窓５２Ａを透過して受光素子６８によって検知されたときのキャリッジ３８の幅方向１２２の位置を第２位置Ｐ２とする。また、発光素子６７の高さ方向１２１の位置を第３位置Ｐ３とする。また、発光素子６７の位置を点Ｏとする。また、仮想直線５３とプラテン４２のシート支持面５６との交点を点Ａとする。仮想直線５３と受光素子６８の走査面５７との交点を点Ｂとする。第１窓５２Ａの幅方向１２２の中心位置を点Ｃとする。第２位置Ｐ２を点Ｄとする。
【００６２】
図８に示されるように、３点ＯＡＣ及び３点ＯＢＤによって、∠ＯＡＣ＝∠ＯＢＤ＝９０°であり、かつ、互いに相似関係にある直角三角形が形成される。
【００６３】
第２位置Ｐ２と点Ｂとの距離を第１距離Ｌ１とする。点Ｃと第１位置Ｐ１との距離を第２距離Ｌ２とする。給紙ローラ２５がローラポケット６５に一部収容されたときの発光素子６７とプラテン４２のシート支持面５６との距離を第３距離Ｌ３とする（図７参照）。プラテン４２のシート支持面５６と受光素子６８の走査面５７との距離を第４距離Ｌ４とする。図８に示されるように、第１距離Ｌ１は三角形ＯＢＤにおける辺ＢＤで表される。第２距離Ｌ２は三角形ＯＡＣにおける辺ＡＣで表される。第４距離Ｌ４は、三角形ＯＡＣと三角形ＯＢＤにおける辺ＯＡと辺ＯＢとの差に相当する辺ＡＢによって表される。辺ＡＣ（第２距離Ｌ２）、辺ＡＢ（第４距離Ｌ４）及び第３距離Ｌ３の値は、給紙トレイ２０の積載された記録用紙５０の残量Ｎに拘わらず一定であり、プリンタ部１１の構成からあらかじめ把握される。そして、辺ＢＤ（第１距離Ｌ１）が、記録用紙５０の残量Ｎに応じて変化する。記録用紙５０の残量Ｎが多いと、第１距離Ｌ１は大きくなり、残量Ｎが少ないと、第１距離Ｌ１は小さくなる。
【００６４】
三角形ＯＡＣと三角形ＯＢＤとは、互いに相似関係にあることから、式（１）の関係が成立する。
【００６５】
ＯＡ：ＡＣ＝ＯＢ：ＢＤ…式（１）
【００６６】
また、第４距離Ｌ４は辺ＡＢによって表されることから式（２）の関係が成立する。
【００６７】
ＯＢ＝ＯＡ＋ＡＢ…式（２）
【００６８】
式（１）のＯＢに式（２）を代入すると、以下の式（３）のように変形することができる。
【００６９】
ＯＡ×ＢＤ＝ＡＣ×（ＯＡ＋ＡＢ）…式（３）
【００７０】
式（３）をＯＡで表すと、以下の式（４）のように変形することができる。
【００７１】
ＯＡ＝ＡＢ×ＡＣ／（ＢＤ−ＡＣ）…式（４）
【００７２】
記録用紙５０の残量Ｎは、第３距離Ｌ３から三角形ＯＡＣにおける辺ＯＡを除くことで算出される。したがって、以下の式（５）が成立し、ローラポケット６５の深さまで残量Ｎに含まれることになる。
【００７３】
Ｎ＝Ｌ３−ＯＡ…式（５）
【００７４】
この式（５）のＯＡに式（４）のＯＡを代入することにより、式（６）が導出される。
【００７５】
Ｎ＝Ｌ３−｛ＡＢ×ＡＣ／（ＢＤ−ＡＣ）｝…式（６）
【００７６】
これにより、第１距離Ｌ１が検出されると、記録用紙５０の残量Ｎが演算される。
【００７７】
制御部１００は、検出される記録用紙５０の残量ＮがＸ１以上であるかを判定する（Ｓ１７）。ここで、Ｘ１は、給紙トレイ２０における記録用紙５０の最大載置量に対して３０％となる残量Ｎに相当する値である。つまり、記録用紙５０の残量Ｎが最大積載量の３０％以上であるかどうかを制御部１００が判断する。
【００７８】
制御部１００は、記録用紙５０の残量ＮがＸ１≦Ｎのとき（Ｓ１７：ＹＥＳ）、記録用紙５０の残量が十分である旨を残量情報としてＲＡＭ１０３に記憶する（Ｓ１８）。
【００７９】
制御部１００は、記録用紙５０の残量ＮがＸ１未満であれば（Ｓ１７：ＮＯ）、その残量ＮがＸ０を超えているかを判定する（Ｓ１９）。ここで、Ｘ０は、給紙トレイ２０において記録用紙５０が無いときの残量Ｎに相当する値である。記録用紙５０の残量ＮがＸ０＜Ｎ＜Ｘ１であれば（Ｓ１９：ＹＥＳ）、制御部１００は記録用紙５０の残量Ｎが最大積載量の３０％未満であると判断し、その結果を警告として表示する（Ｓ２０）。この警告は、操作パネル１４のディスプレイや外部情報機器の画面上で行われ、給紙トレイ２０に積載された記録用紙５０の残量が少なくなっていることを示すものである。
【００８０】
制御部１００は、記録用紙５０の残量ＮがＸ０以下であれば（Ｓ１９：ＮＯ）、給紙トレイ２０に記録用紙５０が存在しないと判断して、その結果を警告として表示する（Ｓ２１）。
【００８１】
［記録用紙５０の端部の判定］
以下、記録用紙５０の端の位置の判定方法が詳細に説明される（図１４参照）。
【００８２】
前述されたように、給紙トレイ２０に記録用紙５０があると、記録用紙５０が搬送路２３へ給送されて、その記録用紙５０がプラテン４２へ到達する。制御部１００は、レジストセンサ７１及びロータリーエンコーダ８３の各出力に基づいて、プラテン４２の第２窓５２Ｂを覆う位置まで記録用紙５０の先端が到達したことを判断する（Ｓ３１）。
【００８３】
制御部１００は、第２窓５２Ｂに記録用紙５０が到達すると（Ｓ３１：ＹＥＳ）、記録用紙５０の搬送を停止する。次いで、制御部１００は、発光素子６７を発光させる（Ｓ３２）。また、制御部１００は、キャリッジ３８をＨＰへと移動させた後（Ｓ３３）、キャリッジ３８をＥＰへ移動させる。制御部１００は、キャリッジ３８が仮想中心線５８より第２窓５２Ｂ側へ移動すると、受光素子６８の出力信号を監視する。キャリッジ３８が仮想中心線５８からＥＰへ到達する過程において、受光素子６８が第２窓５２Ｂを通過する光束５４を検知する（Ｓ３４）。前述と同様に、受光素子６８が出力する信号Ｃに対して閾値Ｃ２が設定されている（図１１参照）。この閾値Ｃ２は、第２窓５２Ｂにかかる記録用紙５０を透過する光束５４を考慮しているため、閾値Ｃ１よりも高く設定されることが考えられる。受光素子６８の信号Ｃが閾値Ｃ２を超えると（Ｓ３５：ＹＥＳ）、制御部１００はキャリッジ３８の位置情報を取得して、ＲＡＭ１０３に記憶する。制御部１００は、キャリッジ３８がＥＰへ到達すると、発光素子６７を消灯して（Ｓ３６）、記憶された位置情報に基づいて記録用紙５０の端の位置を演算する（Ｓ３７）。
【００８４】
以下、記録用紙５０の端の位置の演算方法が詳細に説明される。
【００８５】
図９に示されるように、高さ方向１２１及び幅方向１２２に沿った断面において、発光素子６７から射出された光束５４が、第２窓５２Ｂを透過して受光素子６８によって検知された時のキャリッジ３８の位置を第４位置Ｐ４とする。第２窓５２Ｂにかかる記録用紙５０の端部と光束５４との交点を点Ｅとする。第４位置Ｐ４を点Ｆとする。図１０に示されるように、３点ＯＡＥ及び３点ＯＢＦによって、∠ＯＡＥ＝∠ＯＢＦ＝９０°であり、かつ、互いに相似関係にある直角三角形が形成されている。
【００８６】
第４位置Ｐ４と点Ｂとの距離を第５距離Ｌ５とする。第３位置Ｐ３とプラテンのシート支持面５６との距離を第６距離Ｌ６とする。プラテン４２のシート支持面５６と受光素子６８の走査面５７との距離を第４距離をＬ４とする。図１０に示されるように、第５距離Ｌ５は三角形ＯＢＦにおける辺ＢＦで表される。第６距離Ｌ６は三角形ＯＡＥにおける辺ＯＡで表される。第４距離Ｌ４は、三角形ＯＡＥと三角形ＯＢＦにおける辺ＯＡと辺ＯＢとの差に相当する辺ＡＢによって表される。ここで、辺ＡＢ（第４距離Ｌ４）は一定であり、プリンタ部１１の構成からあらかじめ把握される。そして、辺ＢＦ（第５距離Ｌ５）が記録用紙５０の端の位置に応じて変化する。記録用紙５０の幅が広いと第５距離Ｌ５は大きくなり、幅が狭いと第５距離は小さくなる。
【００８７】
三角形ＯＡＥ及び三角形ＯＢＦは、互いに相似関係にあることから、式（６）の関係が成立する。
【００８８】
ＯＡ：ＡＥ＝ＯＢ：ＢＦ…式（７）
【００８９】
第４距離Ｌ４は辺ＡＢによって表される。したがって式（２）の関係が成立する。
【００９０】
ＯＢ＝ＯＡ＋ＡＢ…式（２）
【００９１】
式（７）のＯＢに式（２）を代入すると、以下の式（７）のように変形することができる。
【００９２】
ＯＡ×ＢＦ＝ＡＥ×（ＯＡ＋ＡＢ）…式（８）
【００９３】
記録用紙５０の端の位置を検出するために必要な距離はＡＥであることから、式（８）を変形してＡＥで表すと、式（９）のように表される。
【００９４】
ＡＥ＝ＯＡ×ＢＦ／（ＯＡ＋ＡＢ）…式（９）
【００９５】
辺ＯＡは、式（４）によって表されている。式（９）に式（４）のＯＡを代入すると、式（１０）のように表される。
【００９６】
ＡＥ＝ＡＣ×ＢＦ／ＢＤ…式（１０）
【００９７】
前述されたように、記録用紙５０はセンターレジで搬送されるので、記録用紙５０の幅に相当する距離Ｌｓは、式（１１）によって表される。
【００９８】
Ｌｓ＝２×ＡＥ…式（１１）
【００９９】
この式（１１）のＡＥに、式（１０）のＡＥを代入することにより、記録用紙５０の端の位置を演算するために使用される式（１２）が導出される。
【０１００】
Ｌｓ＝２×ＡＣ×ＢＦ／ＢＤ…式（１２）
【０１０１】
［本実施形態の作用効果］
本実施形態によれば、発光素子６７から第１窓５２Ａを通じてキャリッジ３８側へ透過する光束５４が、キャリッジ３８に搭載された受光素子６８に受光され、その第２位置Ｐ２がリニアエンコーダ８２によって検出される。そして、この第２位置Ｐ２に基づいて、発光素子６７の高さ方向１２１に対する第３位置Ｐ３が演算されるので、１組の光学センサ７０によって、給紙トレイ２０における記録用紙５０の残量Ｎが検出される。
【０１０２】
また、発光素子６７から照射されて第２窓５２Ｂを透過する光束５４が、キャリッジ３８に搭載された受光素子６８に受光され、その第４位置Ｐ４がリニアエンコーダ８２によって検出される。そして、この第４位置Ｐ４と前述された第３位置Ｐ３とに基づいて、記録用紙５０の端の位置が判定されるので、１組の光学センサ７０によって、プラテン４２上の記録用紙５０の端部の位置が検出される。記録用紙５０の端部位置が制御部１００によって検出されることによって、搬送路２３に搬送可能な記録用紙５０に対して、記録部２４が正確な縁なし印刷を実行可能である。
【符号の説明】
【０１０３】
１１・・・プリンタ部（画像記録装置）
１７・・・搬送向き
２３・・・搬送路
３８・・・キャリッジ
３９・・・記録ヘッド
４２・・・プラテン
５０・・・記録用紙（シート）
５２Ａ・・・第１窓
５２Ｂ・・・第２窓
６７・・・発光素子（発光部）
６８・・・受光素子（受光部）
７０・・・光学センサ
１００・・・制御部（位置検出手段、第１演算手段、第２演算手段）
１２１・・・高さ方向（第１方向）
１２２・・・幅方向（第３方向）
１２３・・・奥行き方向（第２方向）
【図１】
2010235233.tif 000003
【図２】
2010235233.tif 000004
【図３】
2010235233.tif 000005
【図４】
2010235233.tif 000006
【図５】
2010235233.tif 000007
【図６】
2010235233.tif 000008
【図７】
2010235233.tif 000009
【図８】
2010235233.tif 000010
【図９】
2010235233.tif 000011
【図１０】
2010235233.tif 000012
【図１１】
2010235233.tif 000013
【図１２】
2010235233.tif 000014
【図１３】
2010235233.tif 000015
【図１４】
2010235233.tif 000016